(57)【要約】【課題】  例えば正反射方向からの観察に対応して、確実に反射モードと透過モードを両立し得るように最適化された光学構成を提供する。【解決手段】  一画素毎に、主に光透過により表示を行う透過表示領域と、主に光反射により表示を行う反射表示領域とを有する半透過型の液晶表示装置である。表示面側には、光散乱度に角度依存性を有する光制御板が配されている。この光制御板における主散乱方向は、光透過による表示において階調反転が生ずる方向と略一致するとともに、光反射による表示における主な外光入射方向と略一致している。【選択図】  図９
2006018068.tif 000002
【特許請求の範囲】
【請求項１】
一画素毎に、主に光透過により表示を行う透過表示領域と、主に光反射により表示を行う反射表示領域とを有する半透過型の液晶表示装置であって、
表示面側に、光散乱度に角度依存性を有する光制御板が配され、
前記光制御板における主散乱方向が、光透過による表示において階調反転が生ずる方向と略一致するとともに、光反射による表示における主な外光入射方向と略一致していることを特徴とする液晶表示装置。
【請求項２】
前記光制御板における光散乱度のピーク角度方向が、前記光透過による表示において階調反転が生ずる角度方向と略一致しており、階調反転による輝度の逆転が６４階調中４階調以内とされていることを特徴とする請求項１記載の液晶表示装置。
【請求項３】
前記光制御板における光散乱度のピーク角度方向が、外光入射角度方向と略一致していることを特徴とする請求項１又は２記載の液晶表示装置。
【請求項４】
携帯電話用の液晶表示装置であって、前記光制御板における主散乱方向は、表示面の略１２時方向とされていることを特徴とする請求項１から３のいずれか１項記載の液晶表示装置。
【請求項５】
前記光制御板における光散乱度のピーク角度は、表示面の法線方向に対して１０°〜５０°であることを特徴とする請求項４記載の液晶表示装置。
【請求項６】
前記光制御板のピーク角度方向における光散乱度は、ヘイズ値で５０％〜１００％であることを特徴とする請求項５記載の液晶表示装置。
【請求項７】
前記光制御板の透過角度領域での光散乱度は、ヘイズ値で５０％未満であることを特徴とする請求項５記載の液晶表示装置。
【請求項８】
前記光制御板は、屈折率の異なる複数の層が板面に対して傾斜した状態で積層された構造を有することを特徴とする請求項１から７のいずれか１項記載の液晶表示装置。
【請求項９】
画素毎に独立した電極を有するアレイ基板と、前記アレイ基板に対向して配置された対向基板と、前記アレイ基板と対向基板との間に挟持された液晶層と、前記アレイ基板及び前記対向基板の外面に配置された偏光板とを備え、
前記光制御板は、前記対向基板とその外面に配置された偏光板の間、または前記対向基板の外面に配置された偏光板の外側に配置されていることを特徴とする請求項１から８のいずれか１項記載の液晶表示装置。
【発明の詳細な説明】
【技術分野】
【０００１】
本発明は、液晶表示装置に関するものであり、特に、バックライトによる透過表示と反射光による反射表示の双方を行うことが可能な、いわゆる半透過型の液晶表示装置に関する。
【背景技術】
【０００２】
例えば携帯電話等、屋外においても使用する機器に装着される液晶表示装置では、外光を用いた反射表示も可能であることが必要とされている。そこで、このような要求に応えて、主にバックライトによる透過表示と、外光照度の強い屋外等では反射光表示を行うことが可能な半透過型液晶表示が開発されている。
【０００３】
一方、近年、カメラ付き携帯電話等においては、カラー高精細表示が可能な液晶表示装置が求められている。カメラ付き携帯電話の液晶表示装置では、カメラ撮影した画像をカラー表示する際、グレースケールの階調特性について視野角特性が良いことが重要である。したがって、前記半透過型液晶表示装置において、表示性能と消費電力削減を両立するためには、反射モード、透過モードのいずれにおいても明るく、且つ高視野角で高コントラストであることが不可欠である。
【０００４】
ここで、反射表示の明るさ及び視野角を改善する技術としては、例えば特許文献１に記載される技術が知られている。特許文献１記載の技術では、外光を正反射と異なる方向に多く反射させる反射器を用い、観察者が表示パネルの法線方向に近い方向から見た場合に、明るく高コントラストで外光の映り込みが少ない表示を実現するようにしている。反射器は、所定の角度範囲内にある入射光のみを選択的に散乱し、それ以外の角度の入射光を透過する光制御板と、所定の直線偏光成分の光を反射し、それ以外の光を透過する反射型偏光板と、反射型偏光板の背後に配される光吸収板とから構成される。なお、光制御板については、特許文献２や特許文献３等に詳しい。
【特許文献１】特開平１１−８４１１５号公報
【特許文献２】特開平７−５８３６１号公報
【特許文献３】特開平７−６４０６９号公報
【発明の開示】
【発明が解決しようとする課題】
【０００５】
しかしながら、前記特許文献１記載の技術は、基本的には反射モードを想定したものであり、透過モードについてはほとんど考慮されておらず、ましてや半透過型の液晶表示装置について、反射モードと透過モードを両立するための光学構成の最適化については、何ら検討されていない。
【０００６】
また、特許文献１に記載される技術は、観察者が表示パネルの法線方向に近い方向から見た場合を想定するものであり、外光の正反射方向から観察する場合には当てはまらない。例えば携帯電話に組み込まれる液晶表示装置では、観察方向は正反射方向にほぼ固定され、したがって、前記特許文献１記載の技術をそのまま適用することはできない。
【０００７】
さらに、前記特許文献１記載の技術では、反射器が光制御板、反射型偏光板、及び光吸収板の組み合わせにより構成されており、構造が複雑であるという課題もある。前記携帯電話用の液晶表示装置では、一層の薄型化、低価格化が要求されており、前記正反射方向での観察に特化して、極力簡単な構成で透過モード、反射モードのいずれにおいても明るく高コントラストなカラー高精細表示を実現することが望まれる。
【０００８】
本発明は、これらの要求に鑑みて提案されたものである。すなわち、本発明は、例えば正反射方向からの観察に対応して、極めて簡単な構造でありながら、確実に反射モードと透過モードを両立し得るように最適化された光学構成を提供し、透過モード及び反射モードのいずれにおいても明るく高コントラストなカラー高精細表示が可能な半透過型の液晶表示装置を提供することを目的とする。
【課題を解決するための手段】
【０００９】
上述の問題を解決するために、本発明に係る液晶表示装置は、一画素毎に、主に光透過により表示を行う透過表示領域と、主に光反射により表示を行う反射表示領域とを有する半透過型の液晶表示装置であって、表示面側に、光散乱度に角度依存性を有する光制御板が配され、前記光制御板における主散乱方向が、光透過による表示において階調反転が生ずる方向と略一致するとともに、光反射による表示における主な外光入射方向と略一致していることを特徴とする。
【００１０】
本発明の液晶表示装置では、表示面側に光散乱度に角度依存性を有する光制御板が配されるとともに、光制御板における主散乱方向が光透過による表示において階調反転が生ずる方向と略一致するようにその取り付け方向が規制されているので、透過モードにおけるグレースケールの階調特性が改善され、階調黒ツブレが発生する視野角の範囲が大幅に縮小される。
【００１１】
同時に、前記光制御板における主散乱方向が、光反射による表示における主な外光入射方向と略一致するように光制御板の取り付け方向が規制されているので、反射表示における正反射方向での反射率、コントラスト比が大幅に改善される。
【発明の効果】
【００１２】
本発明の液晶表示装置によれば、光制御板の取り付け方向を制御するだけで反射モードと透過モードのいずれにおいても光学構成を最適化することができ、極めて簡単な構造でありながら、透過モード及び反射モードの双方において明るく高コントラストなカラー高精細表示が可能な半透過型の液晶表示装置を提供することが可能である。
【発明を実施するための最良の形態】
【００１３】
以下、本発明を適用した液晶表示装置について、図面を参照して詳細に説明する。
【００１４】
先ず、本実施形態の半透過型液晶表示パネルの断面構造を図１に示す。半透過型液晶表示パネル１も、基本的には通常の液晶表示パネルと同様の構成を有し、一対のガラス基板で液晶セルを構成し、その間隙に液晶材料を封入して液晶層が形成されている。本実施形態の半透過型液晶表示パネル１も例外ではなく、対向基板２とＴＦＴ基板３の間に液晶層４が封入されている。なお、液晶層４には、通常の液晶表示パネルに用いられる液晶材料がいずれも使用可能である。
【００１５】
前記対向基板２の液晶層４側の面には、図示は省略するが、各画素に対応してカラーフィルタ層が形成されるとともに、その表面を覆ってＩＴＯ等の透明導電材料からなる透明電極が全面に形成されている。カラーフィルタ層は、顔料や染料によって各色に着色された樹脂層であり、例えばＲ，Ｇ，Ｂの各色のフィルタ層が組み合わされて構成されている。また、各カラーフィルタ層の境界部分には、コントラスト向上等を目的として、いわゆるブラックマトリクス層が形成されている。
【００１６】
一方、前記ＴＦＴ基板３には、アレイ基板に相当するものであり、やはり図示は省略するが、各画素に対応して画素電極及びスイッチング素子である薄膜トランジスタ（ＴＦＴ：Thin Film Transistor）がマトリクス状に形成されるとともに、画素電極に電気信号を送るための信号線と、スイッチング素子である薄膜トランジスタに信号を供給するためのゲート線とが、互いに直交して配線されている。
【００１７】
本実施形態の半透過型液晶表示パネル１では、各画素電極として反射電極５が形成された反射開口部Ａと、透明電極６が形成された透過開口部Ｂとに面積的に分割されている。このような半透過型液晶表示パネルでは、反射開口部Ａにおいては外光を利用し、透過開口部Ｂにおいては背面側に配されたバックライト７を光源として画像表示が行われる。
【００１８】
なお、対向基板２及びＴＦＴ基板３の液晶層４と接する面には、液晶層４を構成する液晶分子を所定の方向に配向させる配向膜が形成されるが、配向膜としては、この種の液晶表示素子に用いられる通常の配向膜を用いることができ、ここではその説明は省略する。また、対向基板２及びＴＦＴ基板３の液晶層４と接する面とは反対側の面には、それぞれ円偏光板８，９が配置されている。この円偏光板８，９は、例えば偏光板と位相差板とが組み合わされた構造となっている。
【００１９】
以上が半透過型液晶表示パネル１の基本構造であるが、本実施形態では、前記半透過液晶表示パネル１の表示面側、すなわち対向基板２側に設けられた円偏光板８上に光制御板１０が配され、その主散乱方位を適正に設定することにより、半透過方式の液晶表示装置に最適な光学構成とされている。そこで、以下においては、この光制御板１０の取り付け方位について説明する。
【００２０】
先ず、光制御板１０であるが、光制御板１０は、所定の角度範囲内にある入射光のみを選択的に散乱し、それ以外の角度の入射光を透過する性質を有するものである。その構造としては、屈折率が高い透明層と屈折率が低い透明層が斜めに積層された構造を有している。
【００２１】
光制御板１０の構成については、例えばIDW'03 Development of a Directional Diffuser (L.M.Murillo-Mora, H.Honma, Y.Maekawa, M.Takano, K.Hirose, A.Sato and F.Iwata) FMC10-2 p701-704 等に詳しい。また、光制御板１０としては、市販のものがいずれも使用可能である。
【００２２】
図２に光制御板１０の主散乱方位について模式的に示す。先にも述べたように、光制御板１０は、光散乱度に角度依存性を有し、特定の方向において光散乱度が高い。例えば、図２において、光制御板１０の法線Ｚに対して入射光の角度θを変えていくと、これに伴って図３に示すように光散乱度（ヘイズ値）が変化する。この時、最も散乱度が大きくなる角度θ１がピーク角度、このピーク角度を示す方向がピーク角度方向Ａ１であり、これを投影して法線Ｚを中心にその方向を表したものが主散乱方向Ａ２である。逆に、−θ側では散乱度が小さく、したがってこの方向は透過角度領域ということになる。
【００２３】
なお、光制御板１０の前記ピーク角度方向Ａ１としては、後述の階調反転角度方向や外光入射方向等にもよるが、通常は１０°〜５０°方向であることが好ましい。また、光制御板１０の光散乱度（ヘイズ値）は、前記ピーク角度方向で５０％〜１００％の範囲にあることが好ましく、透過角度領域で５０％以下であることが好ましい。
【００２４】
一方、半透過型液晶表示パネル１において、表示モードとしては、高精細且つ高透過率であるという利点を有することから、ＴＮ（ツイステッド・ネマティック）モードが最も一般的に採用されている。このＴＮモードでは、光透過による表示において、中間調を表示させたときに、視角を振って画面を観察すると、階調の逆転が生じてしまい、表示品位が劣化するという問題が起こる。
【００２５】
ＴＮモードでは、液晶分子を一方向に回転させてバックライト光を選択的に透過しており、それぞれの階調は、画素毎に電界を与えて液晶分子の立ち具合を制御することにより再現される。このため、液晶分子の長軸方向において角度を振った際、ある倒れ角度で中間調の輝度が逆転するという現象が生じる。すなわち、各階調でのそれぞれの倒れ角度−輝度の曲線は極小値を持つが、各階調での液晶分子の立ち具合が異なるため、それぞれの極小値が階調毎に少しずつシフトする。このため、図４に示すように、ある倒れ角度では、黒色に近い階調の輝度が白色に近い階調の輝度よりも高くなってしまうことがある。図４において、破線で囲んだ領域が中間調階調反転箇所である。このような階調反転が生ずると、画面が見にくくなり、表示品位の劣化に繋がる。
【００２６】
図５は、半透過型液晶表示パネル１における階調反転方向（階調反転が生ずる方向）及び階調反転角度方向（階調反転が生ずる角度方向）を図示したものである。前述の通り、視角αを振って画面を観察すると、所定の角度領域α１で階調の逆転が生ずる。この階調反転を生ずる角度方向が階調反転角度方向Ｂ１であり、これを投影して法線Ｚを中心にその方向を表したものが階調反転方向Ｂ２である。
【００２７】
また、半透過型液晶表示パネル１の場合、前記光透過による表示のみならず、光反射による表示も考慮する必要がある。光反射による表示では、外光入射方向が重要であり、図６に示すように、半透過型表示パネル１における視認方向に対して、これとは対称な方向から視認される光の大部分が入射する。視認方向に対する光の入射方向が外光入射角度方向Ｃ１であり、これを投影して法線Ｚを中心にその方向を表したものが外光入射方向Ｃ２である。
【００２８】
本発明では、前記光制御板１０における主散乱方向Ａ２と、半透過型液晶表示パネル１の透過表示における階調反転方向Ｂ２、及び反射表示における外光入射方向Ｃ２をほぼ一致させてこれらを配置し、透過表示、反射表示のいずれにおいても、明るく広視野角で、高コントラストな表示を実現する。図７に、光制御板１０と半透過型液晶表示パネル１の配置状態を模式的に示す。図７に示すように、光制御板１０の主散乱方向Ａ２が前記階調反転方向Ｂ２、外光入射方向Ｃ２とほぼ一致するように、光制御板１０を半透過型液晶表示パネル１の表面に貼り付ける。この場合、半透過型液晶表示パネル１においては、階調反転方向Ｂ２と外光入射方向Ｃ２とがほぼ一致していることが前提であり、したがって、半透過型液晶表示パネル１の作製に際しては、この点に留意する必要がある。
【００２９】
また、前記外光入射方向Ｃ２であるが、例えば携帯電話用の液晶表示装置等の場合、正面方向（表示面の略１２時方向）からの反射光を利用するのが通常であるので、この方向に向けるのが好ましく、これに伴って光制御板１０における主散乱方向Ａ２も表示面の略１２時方向に向けることが好ましい。ここで、何時方向という表現は、液晶表示装置の上に時計の文字板を重ねたと仮定して、文字板に刻まれた時刻を表す数字を利用して表示面の方位を指し示すものである。したがって、例えば１２時方向とは、表示面の上方向に相当する。
【００３０】
本発明においては、前述の通り、主散乱方向Ａ２を前記階調反転方向Ｂ２、及び外光入射方向Ｃ２とほぼ一致させることが最低限必要であるが、特に、光制御板１０の前記ピーク角度方向Ａ１を半透過型液晶表示パネル１の前記階調反転角度方向Ｂ１、及び外光入射角度方向Ｃ１とほぼ一致させることが理想的である。例えば、前記ピーク角度方向Ａ１と前記階調反転角度方向Ｂ１について言えば、階調反転による輝度の逆転が６４階調中４階調以内となるように、これら角度を一致させることが好ましい。
【００３１】
なお、階調反転角度方向Ｂ１は、ある程度の幅を有するので、概ねその中心となる角度に対して前記ピーク角度方向Ａ１を一致させればよい。また、外光入射角度方向Ｃ１については、使用者の使用形態によって大きく異なるが、例えば携帯電話用の液晶表示装置の場合等においては、見る方向がほとんど決まってくるので、その方向に対応した外光入射角度方向Ｃ１に対して前記ピーク角度方向Ａ１を一致させればよい。
【００３２】
このように前記各角度方向を互いに一致させることで、確実にその効果を得ることができる。図８は、透過モードでの光透過特性を模式的に示すものである。透過モードでは、バックライト７からの透過光を観察することになるが、このとき、半透過型表示パネル１の法線方向から良階調方位にかけては、透過光は光制御板１０によってほとんど散乱されず、光散乱が小さい状態で観察される。この領域では、半透過方表示パネル１において階調反転が起こることはない。これに対し、階調反転角度方向の透過光は、光制御板１０の主散乱方位Ａ２、さらにはピーク角度方向Ａ１を透過することになるので、光散乱が大きい。その結果、階調反転を生じた表示が拡散され、明瞭に観察されなくなるので、この方向におけるグレースケールでの階調視野角が大幅に改善されることになる。
【００３３】
一方、図９は、反射モードでの光反射特性を模式的に示すものである。反射モードでは、主に正反射方向からの反射光により表示が行われるが、このとき、正反射による写り込みがコントラスト等を低下する要因となる。本実施形態では、正反射方向から入射される反射光が、光制御板１０の主散乱方位Ａ２、さらにはピーク角度方向Ａ１を透過することになるので、大きく散乱され、その結果、前記写り込みが解消され、コントラストが大きく改善される。また、光制御板１０の散乱効果により、正反射方向以外の方向からの光も反射表示に利用されるので、反射表示における正面方向での反射率が実質的に改善されることになる。
【００３４】
以上、本発明を適用した液晶表示装置の実施形態について説明したが、本発明がこの実施形態に限定されるものでないことは言うまでもない。例えば、前述の実施形態では、光制御板１０は、表側の円偏光板８の外側（上）に配置されているが、それ以外の場所、例えば対向基板２と表側の円偏光板８との間等に配置されていてもよい。また、光反射板が液晶セルの外側に配置されていても同様な効果を得ることができる。さらに、光反射板自身に拡散機能を持たせてもよい。
【実施例】
【００３５】
次に、実際に液晶表示装置を組み立て、本発明の効果を確かめた。以下、この具体的な実施例について説明する。
【００３６】
本実施例の液晶表示装置の基本構成は、先の図１に示すものと同様であり、本実施例においても、選択的に光散乱を行う光制御板を、液晶セルから見て表側円偏光板の外側に配置した。液晶素子の画素は、一画素毎に主に光透過により表示を行う領域と、主に光反射により表示を行う領域とが複合する構造を有する、いわゆる半透過方式の液晶表示装置である。また、反射領域の反射電極は、鏡面特性を有する平坦構造とした。液晶セルは、ホモジニアス配向であり、透過と反射のセルギャップは、それぞれ異なるセルギャップ方式とした。さらに、画素駆動方式はアクティブマトリックス方式とし、表示モードはノーマリーホワイトとした。円偏光板は、偏光板と位相差板が組み合わされた構造とした。
【００３７】
本実施例の液晶表示装置において、透過表示における視角特性は、上側がグレースケールの階調特性で黒ツブレ・反転方位となっている。また、反射表示における主な外光入射方向は、液晶セルの上方位（１２時方位）である。
【００３８】
また、図１０は、本実施例で用いた光制御板の光散乱特性の角度依存性を示すものである。用いた光制御板のピーク角度は３０°、そのときの光散乱度（ヘイズ値）は９０％である。
【００３９】
本実施例では、光学的な角度の設定として、（１）光制御板の主散乱方位、（２）反射の外光方位（パネル上側）、（３）透過の黒ツブレ方位（階調反転方位）がそれぞれ一致する構成とした。したがって、（４）光制御板の透過方位、（５）観察者方位（パネル正面もしくは下側）、（６）透過の良階調方位がそれぞれ一致する構成となっている。
【００４０】
作製した液晶表示について、光学特性（透過表示特性及び反射表示特性）を測定した。測定した項目は、透過表示特性については、正面透過率、正面コントラスト比、視角（上下左右）であり、反射表示特性については、反射率及びコントラスト比である。なお、透過表示特性の視野角は、Ｌ＊８階調表示で黒ツブレまたは階調反転が発生しない角度を言う。また、反射特性は、光源からの光を液晶セルの上方向から３０°で入射し、正面で受光する条件で測定した。本実施例の液晶表示装置の光学特性を表１に示す。また、表１には、光制御板を用いない従来技術の半透過液晶セル（比較例）の光学特性も併せて示す。
【００４１】
【表１】
2006018068.tif 000003
【００４２】
表１からも明らかなように、透過表示における上方向のグレースケールでの階調視野角が、比較例の２０°から６０°へと大幅に改善されている。また、反射表示については、正面方向での反射率、コントラスト比が、比較例ではそれぞれ２％、５であるのに対して、実施例ではそれぞれ４％、２０と大幅に改善された。
【図面の簡単な説明】
【００４３】
【図１】半透過型液晶表示パネルの構成例を示す概略断面図である。
【図２】光制御板の主散乱方向及びピーク角度方向を説明する模式図である。
【図３】光制御板における光散乱特性の角度依存性を示す特性図である。
【図４】階調反転の様子を示す特性図である。
【図５】液晶表示パネルにおける階調反転方向及び階調反転角度方向を説明する模式図である。
【図６】反射表示における外光入射方向及び外光入射角度方向を説明する模式図である。
【図７】光制御板の液晶表示パネルへの取り付け方向を示す概略斜視図である。
【図８】実施形態の液晶表示パネルにおける透過モードでの光透過特性を示す概略断面図である。
【図９】実施形態の液晶表示パネルにおける反射モードでの光反射特性を示す概略断面図である。
【図１０】実施例で用いた光制御板における光散乱特性の角度依存性を示す特性図である。
【符号の説明】
【００４４】
１  半透過型液晶表示パネル、２  対向基板、３  ＴＦＴ基板、４  液晶層、５  反射電極、６  透明電極、７  バックライト、８，９  円偏光板、１０  光制御板
【図１】
2006018068.tif 000004
【図２】
2006018068.tif 000005
【図３】
2006018068.tif 000006
【図４】
2006018068.tif 000007
【図５】
2006018068.tif 000008
【図６】
2006018068.tif 000009
【図７】
2006018068.tif 000010
【図８】
2006018068.tif 000011
【図９】
2006018068.tif 000012
【図１０】
2006018068.tif 000013